(57)【特許請求の範囲】
【請求項１】
次の要件（Ａ01）〜（Ａ05）を備えたことを特徴とする画像形成装置、
（Ａ01）回転する像担持体と、前記像担持体表面に静電潜像を形成する潜像形成装置と、現像剤を収容する現像容器を有し前記像担持体表面に形成された静電潜像をトナー像に形成する現像器と、を内部に収容する画像形成装置本体、
（Ａ02）トナーを含む補給現像剤を収容する補給現像剤収容容器および前記補給現像剤収容容器内の補給現像剤を搬送する本体側補給用搬送路形成部材を支持するとともに、前記本体側補給用搬送路形成部材により搬送された現像剤を現像器に搬送するユニット側補給用現像剤搬送路形成部材および前記現像器を有する出入ユニットが出入可能に装着されるユニット装着空間が内部に形成された画像形成装置本体、
（Ａ03）前記画像形成装置本体内部に装着された動作位置と画像形成装置本体から外部に取り出された取出位置との間で移動可能に支持された前記出入ユニット、
（Ａ04）前記出入ユニットが前記動作位置に移動したときに本体側補給用搬送路形成部材の下流端に自動的に接続する上流端部を有する前記ユニット側補給用現像剤搬送路形成部材、
（Ａ05）前記出入ユニットが前記動作位置に移動した状態で、前記上流端部が移動可能に構成され且つ前記上流端部が移動した状態で前記上流端部が開放されて現像剤を補給可能な前記ユニット側補給用現像剤搬送路形成部材。
【請求項２】
次の要件（Ａ07）を備えたことを特徴とする請求項１に記載の画像形成装置、
（Ａ07）前記現像容器内の現像剤を排出する排出口を有する前記現像容器。
【発明の詳細な説明】
【０００１】
【発明の属する技術分野】
本発明は、画像形成装置本体と前記画像形成装置本体対して出入可能な現像器を含む出入ユニットとを有し、記録シートにトナー像を形成して出力する画像形成装置に関する。
【０００２】
【従来の技術】
この種の画像形成装置において、２成分現像剤を使用したものでは、画像形成動作時のトナーの消費に応じてトナーおよびキャリアを補給し、劣化したキャリアを含む現像剤を少しづつ排出して、キャリアの交換を行っている。このような画像形成装置においては、補給されるトナー量に比べて補給されるキャリア量が少ないため、キャリアが経時的に徐々に劣化してくる。このため、現像器をある期間使用した後、現像器内の劣化したキャリアおよびトナーにより構成される現像剤を交換するため、現像器内のキャリアおよびトナーを排出した後、現像器内部に新しいキャリアを充填する作業（現像剤交換作業）が必要となる。
前記現像剤交換作業で劣化したキャリアおよびトナーを排出する場合には、現像器を画像形成動作位置（画像形成装置本体に装着した位置）で、現像器内の現像剤攪拌搬送部材を回転させながら現像器内の現像剤を、出入ユニットの出入口側に配置したキャリア交換用排出口から排出させて回収し、その後、現像器を画像形成装置本体から取り出して、現像器内への新規現像剤の充填を行っている。
【０００３】
【発明が解決しようとする課題】
前記従来技術では、現像剤交換作業の新規現像剤充填作業は、現像器を画像形成装置本体から取り出した状態で手作業で行っていた。このため、次の問題点があった。
（１）新規現像剤充填作業が面倒で時間が掛かる。
（２）作業者や周囲が汚れる。
（３）現像器内に異物などが混入し易い。
【０００４】
本発明は、前述の事情に鑑み、次の記載内容（Ｏ01）を課題とする。
（Ｏ01）画像形成装置本体に対して出入可能な現像器を含む出入ユニットを画像形成装置本体から取り出すことなく、現像器内の現像剤交換作業を行えるようにすること。
【０００５】
【課題を解決するための手段】
次に、前記課題を解決した本発明を説明するが、本発明の要素には、後述の実施例の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００６】
（本発明）
前記課題を解決するために、本発明の画像形成装置は、次の要件（Ａ01）〜（Ａ05）を備えたことを特徴とする。
（Ａ01）回転する像担持体（Ｐy，Ｐm，Ｐc，Ｐk）と、前記像担持体（Ｐy，Ｐm，Ｐc，Ｐk）表面に静電潜像を形成する潜像形成装置（ＲＯＳy，ＲＯＳm，ＲＯＳc，ＲＯＳk）と、現像剤を収容する現像容器（Ｖ）を有し前記像担持体（Ｐy，Ｐm，Ｐc，Ｐk）表面に形成された静電潜像をトナー像に形成する現像器（Ｇy，Ｇm，Ｇc，Ｇk）と、を内部に収容する画像形成装置（Ｕ3）本体、
（Ａ02）トナーを含む補給現像剤を収容する補給現像剤収容容器（７３）および前記補給現像剤収容容器（７３）内の補給現像剤を搬送する本体側補給用搬送路形成部材（７１＋７２）を支持するとともに、前記本体側補給用搬送路形成部材（７１＋７２）により搬送された現像剤を現像器（Ｇy，Ｇm，Ｇc，Ｇk）に搬送するユニット側補給用現像剤搬送路形成部材（５０）および前記現像器（Ｇy，Ｇm，Ｇc，Ｇk）を有する出入ユニット（ＵＹ，ＵＭ，ＵＣ，ＵＫ）が出入可能に装着されるユニット装着空間が内部に形成された画像形成装置（Ｕ3）本体、
（Ａ03）前記画像形成装置（Ｕ3）本体内部に装着された動作位置と画像形成装置（Ｕ3）本体から外部に取り出された取出位置との間で移動可能に支持された前記出入ユニット（ＵＹ，ＵＭ，ＵＣ，ＵＫ）、
（Ａ04）前記出入ユニット（ＵＹ，ＵＭ，ＵＣ，ＵＫ）が前記動作位置に移動したときに本体側補給用搬送路形成部材（７１＋７２）の下流端に自動的に接続する上流端部を有する前記ユニット側補給用現像剤搬送路形成部材（５０）、
（Ａ05）前記出入ユニット（ＵＹ，ＵＭ，ＵＣ，ＵＫ）が前記動作位置に移動した状態で、前記上流端部が移動可能に構成され且つ前記上流端部が移動した状態で前記上流端部が開放されて現像剤を補給可能な前記ユニット側補給用現像剤搬送路形成部材（５０）。
【０００７】
（本発明の作用）
前記構成を備えた本発明の画像形成装置では、画像形成装置（Ｕ3）本体の内部には、回転する像担持体（Ｐy，Ｐm，Ｐc，Ｐk）と、前記像担持体（Ｐy，Ｐm，Ｐc，Ｐk）表面に静電潜像を形成する潜像形成装置（ＲＯＳy，ＲＯＳm，ＲＯＳc，ＲＯＳk）と、現像剤を収容する現像容器（Ｖ）を有し前記像担持体（Ｐy，Ｐm，Ｐc，Ｐk）表面に形成された静電潜像をトナー像に形成する現像器（Ｇy，Ｇm，Ｇc，Ｇk）とが収容される。
前記画像形成装置（Ｕ3）本体は、トナーを含む補給現像剤を収容する補給現像剤収容容器（７３）および前記補給現像剤収容容器（７３）内の補給現像剤を搬送する本体側補給用搬送路形成部材（７１＋７２）を支持している。また、画像形成装置（Ｕ3）本体内部には、前記本体側補給用搬送路形成部材（７１＋７２）により搬送された現像剤を現像器（Ｇy，Ｇm，Ｇc，Ｇk）に搬送するユニット側補給用現像剤搬送路形成部材（５０）および前記現像器（Ｇy，Ｇm，Ｇc，Ｇk）を有する出入ユニット（ＵＹ，ＵＭ，ＵＣ，ＵＫ）が出入可能に装着されるユニット装着空間が形成される。
【０００８】
前記画像形成装置（Ｕ3）本体内部に装着された動作位置と画像形成装置（Ｕ3）本体から外部に取り出された取出位置との間で移動可能に支持された前記出入ユニット（ＵＹ，ＵＭ，ＵＣ，ＵＫ）が前記動作位置に移動したときに前記ユニット側補給用現像剤搬送路形成部材（５０）の上流端部は本体側補給用搬送路形成部材（７１＋７２）の下流端に自動的に接続する。このため、前記出入ユニット（ＵＹ，ＵＭ，ＵＣ，ＵＫ）が前記動作位置に移動した状態では前記補給現像剤収容容器（７３）から現像器（Ｇy，Ｇm，Ｇc，Ｇk）へ現像剤を補給することができる。
前記出入ユニット（ＵＹ，ＵＭ，ＵＣ，ＵＫ）が前記動作位置に移動した状態で、前記ユニット側補給用現像剤搬送路形成部材（５０）の前記上流端部が移動可能に構成され且つ前記上流端部が移動した状態で前記上流端部が開放されて現像剤を補給可能なので、前記上流端部を前記本体側補給用搬送路形成部材（７１＋７２）の下流端に接続する位置から移動させることができる。その状態で、前記ユニット側補給用現像剤搬送路形成部材（５０）の上流端部から新規現像剤を補給することが可能となる。したがって、前記出入ユニット（ＵＹ，ＵＭ，ＵＣ，ＵＫ）を画像形成装置（Ｕ3）本体から取り出すことなく、出入ユニット（ＵＹ，ＵＭ，ＵＣ，ＵＫ）の現像器（Ｇy，Ｇm，Ｇc，Ｇk）に新規現像剤を充填することが可能となる。
また、前記本発明において、次の要件（Ａ07）を備えることも可能である。
（Ａ07）前記現像容器（Ｖ）内の現像剤を排出する排出口を有する前記現像容器（Ｖ）。
【０００９】
【発明の実施の形態】
（実施の形態１）
本発明の実施の形態１の画像形成装置は、前記本発明において次の要件（Ａ06）を備えたことを特徴とする、
（Ａ06）前記上流端部が前記画像形成装置（Ｕ3）本体に形成した出入ユニット（ＵＹ，ＵＭ，ＵＣ，ＵＫ）の出入用開口側に移動可能に構成された前記ユニット側補給用現像剤搬送路形成部材（５０）。
【００１０】
（実施の形態１の作用）
前記構成を備えた本発明の実施の形態１の画像形成装置では、前記ユニット側補給用現像剤搬送路形成部材（５０）は前記上流端部が前記画像形成装置（Ｕ3）本体に形成した出入ユニット（ＵＹ，ＵＭ，ＵＣ，ＵＫ）の出入用開口側に移動可能に構成されているので、現像器（Ｇy，Ｇm，Ｇc，Ｇk）の現像剤交換作業者は、前記出入用開口から現像剤交換作業を容易に行うことができる。
【００１１】
【実施例】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、左方、右方、上方、下方、または、前側、後側、左側、右側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１２】
（実施例１）
図１は本発明の画像形成装置（タンデム式デジタルカラー複写機）の実施例１を含む画像形成システムの全体説明図である。図２は前記図１に示す画像形成装置の説明図である。図３は前記図２に示す画像形成装置の要部拡大説明図である。
図１において、本実施例１の画像形成システムＵは、ＵＩ（ユーザインタフェース）、イメージ入力装置Ｕ1、給紙装置Ｕ2、画像形成装置Ｕ3、および後処理装置Ｕ4に分割して構成されている。
【００１３】
（ユーザインタフェースＵＩ）：
ＵＩは、コピースタートキー、コピー枚数設定キー、テンキー等の入力キーおよびディスプレイＵＩdを有している。
（イメージ入力装置Ｕ1）：
イメージ入力装置Ｕ1は、自動原稿搬送装置およびイメージスキャナ等により構成されている。
（給紙装置Ｕ2）：
給紙装置Ｕ2は複数の給紙トレイＴＲ1〜ＴＲ3、前記各給紙トレイＴＲ1〜ＴＲ3に収容された画像記録用のシートを取り出して画像形成装置Ｕ3に搬送する給紙路ＳＨ1等を有している。
【００１４】
（画像形成装置Ｕ3）
画像形成装置Ｕ3は、前記給紙装置から搬送されたシートに画像記録を行う画像記録部（詳細は後述）、トナーディスペンサー装置Ｕ3a、およびシート搬送路ＳＨ2、シート循環路ＳＨ3等を有している。
（後処理装置Ｕ4）
後処理装置Ｕ4は、前記画像形成装置Ｕ3から搬送される画像記録されたシートを排紙トレイ（図示せず）に排出するシート排出路ＳＨ4および前記シートを反転させるシート反転路ＳＨ5を有している。反転したシートは前記シート循環路ＳＨ3から前記シート搬送路ＳＨ1、シート搬送路ＳＨ2を通って画像形成装置Ｕ3の２次転写領域Ｑ4に再送される。
【００１５】
図１のイメージ入力装置Ｕ1では、照明された原稿（図示せず）からの反射光は、露光光学系を介して、ＣＣＤ（固体撮像素子）でＲ（赤）、Ｇ（緑）、Ｂ（青）の電気信号に変換される。前記ＲＧＢの電気信号はＹ（イエロー）、Ｍ（マゼンタ）、Ｃ（シアン）、Ｋ（黒）の画像データに変換され、濃度補正、拡大、縮小等の画像処理が行われた後、所定のタイミングで画像形成装置Ｕ3に入力される。
【００１６】
図１〜図３において、画像形成装置Ｕ3のレーザ駆動装置ＤL（図２参照）は、前記イメージ入力装置Ｕ1から入力されたＹ（イエロー）、Ｍ（マゼンタ）、Ｃ（シアン）、Ｋ（黒）の画像データに応じたレーザ駆動信号を所定のタイミングで、各色のトナー像形成装置ＵＹ，ＵＭ，ＵＣ，ＵＫの潜像形成装置ＲＯＳy，ＲＯＳm，ＲＯＳc，ＲＯＳkに出力する。前記各トナー像形成装置ＵＹ，ＵＭ，ＵＣ，ＵＫは、画像形成装置Ｕ3本体に対して装着された動作位置と前方に取り出された取出位置との間で出入可能な出入ユニットＵＹ，ＵＭ，ＵＣ，ＵＫとして構成されている。なお、トナー像形成装置（出入ユニット）ＵＹ，ＵＭ，ＵＣ，ＵＫの詳細な説明は後述する。
【００１７】
図４は潜像形成装置とトナー像形成装置の説明図である。
図１、図４において、Ｋ（黒）のトナー像形成装置ＵＫの感光体ドラムＰkの周囲には、帯電器ＣＣk、現像器Ｇk、クリーナＣＬk等が配置されている。
そして、他のトナー像形成装置ＵＹ，ＵＭ，ＵＣの前記感光体ドラムＰy，Ｐm，Ｐcの周囲にもそれぞれ前記感光体ドラムＰkの周囲と同様の帯電器ＣＣy，ＣＣm，ＣＣc、現像器Ｇy，Ｇm，Ｇc、クリーナＣＬy，ＣＬm，ＣＬc等が配置されている。
【００１８】
図１において、感光体ドラムＰy，Ｐm，Ｐc，Ｐkは、それぞれ帯電器ＣＣy，ＣＣm，ＣＣc，ＣＣkにより一様に帯電された後、前記潜像形成装置ＲＯＳy，ＲＯＳm，ＲＯＳc，ＲＯＳkの出力するレーザビームＬy，Ｌm，Ｌc，Ｌk（図２参照）によりその表面に静電潜像が形成される。前記感光体ドラムＰy，Ｐm，Ｐc，Ｐk表面の静電潜像は、現像器Ｇy，Ｇm，Ｇc，ＧkによりＹ（イエロー）、Ｍ（マゼンタ）、Ｃ（シアン）、Ｋ（黒）の色のトナー像に現像される。
【００１９】
感光体ドラムＰy，Ｐm，Ｐc，Ｐk（図１参照）表面上のトナー像は、１次転写器（転写ロール）Ｔ1y，Ｔ1m，Ｔ1c，Ｔ1kにより中間転写ベルト（転写材）Ｂ上に順次重ねて転写され、中間転写ベルトＢ上にカラー画像が形成される。中間転写ベルトＢ上に形成されたカラートナー像は、２次転写領域Ｑ4に搬送される。なお、黒画像データのみの場合はＫ（黒）の感光体ドラムＰkおよび現像器Ｇkのみが使用され、黒のトナー像のみが形成される。
１次転写後、感光体ドラムＰy，Ｐm，Ｐc，Ｐk表面の残留トナーは感光体ドラム用のクリーナＣＬy，ＣＬm，ＣＬc，ＣＬkによりクリーニングされる。
【００２０】
図２において、前記各色の感光体ドラムＰy，Ｐm，Ｐc，Ｐkの下方には左右一対のスライドレールＳR，ＳR（図２参照）によりスライドフレームＦ1（図２の２点鎖線参照）が前後（紙面に垂直な方向）にスライド移動可能に支持されている。スライドフレームＦ1にはベルトモジュールＢＭのベルトフレームＦ2が昇降可能に支持されている。このような、スライドフレームＦ1を前後移動させる構成およびベルトモジュールＢＭを昇降させる構成は、従来公知（例えば、特開平８−１７１２４８号公報参照）であり、従来公知の種々の構成を採用することが可能である。
前記ベルトモジュールＢＭは、前記中間転写ベルトＢと、ベルト駆動ロールＲd、テンションロールＲt、ウォーキングロールＲw、複数のアイドラロール（フリーロール）ＲfおよびバックアップロールＴ2aを含むベルト支持ロール（Ｒd，Ｒt，Ｒw，Ｒf，Ｔ2a）と、前記１次転写器Ｔ1y，Ｔ1m，Ｔ1c，Ｔ1kとを有している。そして、前記中間転写ベルトＢは前記ベルト支持ロール（Ｒd，Ｒt，Ｒw，Ｒf，Ｔ2a）により矢印Ｙa方向に回転移動可能に支持されている。
【００２１】
前記バックアップロールＴ2aの下方には２次転写ユニットＵtが配置されている。２次転写ユニットＵtの２次転写ロールＴ2bは、前記中間転写ベルトＢを挟んでバックアップロールＴ2aに離隔および圧接可能（離接可能）に配置されており、前記２次転写ロールＴ2bが中間転写ベルトＢと圧接する領域（ニップ）により２次転写領域Ｑ4が形成されている。また、前記バックアップロールＴ2aにはコンタクトロールＴ2cが当接しており、前記ロールＴ2a〜Ｔ2cにより２次転写器Ｔ2が構成されている。
前記コンタクトロールＴ2cにはコントローラＣにより制御される電源回路（図示せず）から所定のタイミングでトナーの帯電極性と同極性の２次転写電圧が印加される。
【００２２】
前記ベルトモジュールＢＭ下方にはシート搬送路ＳＨ2が配置されその下方にはシート循環路ＳＨ3が配置されている。前記給紙装置Ｕ2（図１参照）の給紙路ＳＨ1から給紙された記録シートＳは、前記シート搬送路ＳＨ2のレジロールＲrに搬送されて、カラートナー像が２次転写領域Ｑ4（図２参照）に搬送されるのにタイミングを合わせてレジ側シートガイドＳＧr、転写前シートガイドＳＧ1を通って２次転写領域Ｑ4に搬送される。
なお、レジ側シートガイドＳＧrはレジロールＲrとともに、画像形成装置Ｕ3に固定されている。
前記中間転写ベルトＢ上のカラートナー像は、前記２次転写領域Ｑ4を通過する際に前記２次転写器Ｔ2により前記記録シートＳに転写される。なお、フルカラー画像の場合は中間転写ベルトＢ表面に重ねて１次転写されたトナー像が一括して記録シートＳに２次転写される。
【００２３】
２次転写後の前記中間転写ベルトＢは、ベルトクリーナＣＬBによりクリーニングされる。なお、前記２次転写ロールＴ2bおよびベルトクリーナＣＬBは、中間転写ベルトＢと離接自在（離隔および接触自在）に配設されており、カラー画像が形成される場合には最終色の未定着トナー像が中間転写ベルトＢに１次転写されるまで、中間転写ベルトＢから離隔している。
前記トナー像が２次転写された記録シートＳは、転写後シートガイドＳＧ2、シート搬送ベルトＢＨを通って定着装置Ｆの一対の定着用回転部材Ｆh，Ｆpが互いに圧接する領域（定着領域）Ｑ5に搬送される。前記定着領域Ｑ5では前記記録シートＳ上の前記トナー像が加熱定着され、加熱定着された記録シートＳは、排出ローラＲhから後処理装置Ｕ4に搬送される。
【００２４】
図４においてトナー像形成装置ＵＫは、感光体ドラムＰkを有する感光体ドラムユニットＵa、クリーナユニットＵbおよび現像ユニットＵcを有しており、ユニット化されている。図１、図４に示す各色のトナー像形成装置ＵＹ，ＵＭ，ＵＣも前記ＵＫと同様の構成を有している。
前記ユニット化された各色のトナー像形成装置ＵＹ，ＵＭ，ＵＣ，ＵＫの各感光体Ｐy，Ｐm，Ｐc，Ｐkには支持軸貫通孔が形成されており、画像形成装置のフレームに支持された図５に示す感光体支持軸に着脱可能に装着される。なお、トナー像形成装置ＵＹ，ＵＭ，ＵＣ，ＵＫの詳細は後述する。
【００２５】
図５はトナー像形成装置の感光体支持軸の説明図である。
図５において、画像形成装置の後部（−Ｘ側部分）には支持壁１およびその前方側に設けられた位置決め用基準壁２が設けられており、前記位置決め用基準壁２にはモータハウジング３が支持されている。前記支持壁１、位置決め用基準壁２およびモータハウジング３の後壁３aにはそれぞれベアリング４，５，６が装着されている。
前記モータハウジング３内部には、モータケース７が収容されており、モータケース７は回り止め部材７aにより前記モータハウジング３に回転不能に係止されている。前記モータケース７の前壁および後壁にはベアリング８，８が支持されている。前記各ベアリング４〜６，８，８によりＸ軸方向（前後方向）に延びる感光体支持軸９が回転可能に支持されている。前記感光体支持軸９は前記モータケース７内の回転子７bと一体的に回転する。
【００２６】
前記感光体支持軸９には、前端部分に回転力伝達用ピン９aが設けられ、また、前端には雌ねじ孔９bが形成されており、前端部には線接触用リング状突出部９cが形成されている。線接触用リング状突出部９cはその周囲の感光体支持軸９表面部分よりも大径のリング状部分であり、その機能については図１１、図１２により後述する。
また、前記感光体支持軸９の後端部で前記位置決め用基準壁２より前側に円筒状の後側位置決めスリーブ１０が装着されている。後側位置決めスリーブ１０の前端部には前方に行くに従って先細りとなる円錐状のテーパ面１０aが形成されている。
前記感光体支持軸９は、前述の各色のトナー像形成装置ＵＹ，ＵＭ，ＵＣ，ＵＫの感光体ドラムＰy〜Ｐkを支持するために、４本設けられている。
【００２７】
図６は前記図３の要部拡大斜視図であり、トナー像形成装置の前面斜視図である。図７はトナー像形成装置の要部分解斜視図である。
図８はトナー像形成装置の現像ユニットの斜視図である。図９は前記現像ユニットの現像剤補給口および現像剤排出口部分の拡大説明図で前記図８の矢印ＩＸから見た図である。図１０は前記現像容器の説明図で、図１０Ａは前記図９のＸＡ−ＸＡ線断面図、図１０Ｂは前記図９のＸＢ−ＸＢ線断面図、図１０Ｃは前記現像容器後端のギヤの説明図である。
図１１はトナー像形成装置の側面部分断面図である。図１２は感光体ドラムユニットの前端部分の拡大説明図で、感光体ドラムユニットを感光体支持軸上から離脱させようとする状態を示す図である。
【００２８】
前述の各色のトナー像形成装置ＵＹ，ＵＭ，ＵＣ，ＵＫの前記各色の感光体ドラム、帯電器、現像器、クリーナ等は全て同じ構成を有しているので、以下、Ｋ（黒）のトナー像形成装置ＵＫについて記載する。
（トナー像形成装置ＵＫの説明）
図３〜図４、図１１、図１２において、本体フレームＦ3は枠状のフレームであり、前面側に水平な上下２本の本体前側フレームＦ3a，Ｆ3bおよび複数の鉛直フレーム等を有している。また、後面側にも同様な上下２本の本体後側フレームＦ3a，Ｆ3b（図示せず）および複数の垂直な鉛直フレーム等を有している。
また、前記本体前側フレームＦ3aの前面にはフロントパネルＰＡ1（図３、図６参照）が固定されており、フロントパネルＰＡ1の下端は本体前側フレームＦ3bの上端の上方に接近して配置されている。
【００２９】
図１１、図１２において画像形成装置Ｕ3の本体フレームＦ3bにハンガーピン支持部材１１を介して固定支持されたハンガーピン１２は前方（Ｘ方向）に突出するように配置されている。
図４、図１１〜図１２において、画像形成装置Ｕ3の本体フレームＦ3には、固定ねじ１３（図１１参照）により前後（Ｘ軸方向）に延びる左右一対の固定レール支持部材１４，１４が固定されており、固定レール支持部材１４には上下方向に細長い貫通孔１４aが形成されている。前記貫通孔１４aを貫通する連結ピン１５は上下方向に移動可能であり、図４、図１１に示すように前後２個設けられている。そして、前記各連結ピン１５の外端部は引張バネ１６により上方に引っ張られている。
【００３０】
前記連結ピン１５の内端には固定側スライドレール１７が支持されている。前記固定側スライドレール１７（図４参照）は左右２個設けられている。
前記左右の固定側スライドレール１７，１７により可動側スライドレール１８，１８が前後にスライド移動可能に支持されている。
図６〜図７、図１１において、前記可動側スライドレール１８，１８には前後に延びるスライド部材１９，１９が連結されている。前記スライド部材１９の前端には前側支持プレート２０が連結されている。前記前側支持プレート２０には、貫通孔（ドラム支持軸貫通孔）２０a（図１１、図１２参照）、位置決め孔２０b（図６〜図７参照）、固定用ねじ孔２０cおよび切起しにより形成された左右一対のレバー支持部材２０d，２０d（図６参照）が設けられている。
前記スライド部材１９，１９の後端には貫通孔２１a（ドラム支持軸貫通孔）を有する後側支持プレート２１（図１１参照）が連結されている。
したがって、前記前側支持プレート２０および後側支持プレート２１は前記スライド部材１９，１９（図４、図１１参照）と共に前後にスライド移動可能である。
【００３１】
（感光体ドラムユニットＵa）
図４、図７、図１１において、感光体ドラムユニットＵa（図４、図７参照）は、前記感光体支持軸９上に装着され、前記感光体支持軸９と一体的に回転する。前記感光体ドラムＰkは、感光体スリーブ２２と、前記感光体スリーブ２２の前端を支持する前端フランジ部材２３と、前記感光体スリーブ２２の後端を支持する後端フランジ部材２４とを有している。
前記前端フランジ部材２３は、前後に延びる装着円筒部２３a（図１１、図１２参照）を有し、前記装着円筒部２３aは支持軸貫通孔２３bを有している。支持軸貫通孔２３bはその後端に形成された係合用凹凸２３cを有する。また、前記感光体ドラムＰkが前記感光体支持軸９に装着された状態で、前記支持軸貫通孔２３bの前端部内周面と前記感光体支持軸９外周面との間には円筒状空間（後述の前側位置決めスリーブ５６の後端部のテーパ面５６cが挿入される空間）が形成される。
【００３２】
前記後端フランジ部材２４は、装着円筒部２４aを有し、前記装着円筒部２４aは支持軸貫通孔２４bを有している。前記感光体ドラムＰkが前記感光体支持軸９に装着された状態で、前記支持軸貫通孔２４bの後端部内周面と前記感光体支持軸９外周面との間には円筒状空間（前記円筒状の後側位置決めスリーブ１０の前端部のテーパ面１０aが挿入される空間）が形成される。
前記感光体支持軸９は回転力伝達用ピン９aの支持部分がその後側部分よりも小径に形成されており、前記回転力伝達用ピン９aは前記後端フランジ部材２４の支持軸貫通孔２４bを貫通可能に形成されている。前記感光体支持軸９の前記回転力伝達用ピン９a（図１２参照）は前記係合用凹凸２３cと係合しており、感光体支持軸９の回転を前端フランジ部材２３に伝達する。また、前記後端フランジ部材２４の外周面にはギヤＧaが装着されている。
【００３３】
前記装着円筒部２３aにはベアリング２６を介して前側円筒部材２７が回転自在に支持されている。前記後端フランジ部材２４の装着円筒部２４aの後端外周面はベアリング２９を介して後側円筒部材３０が装着されている。前記後側円筒部材３０の後部内周面にはベアリング３１が装着されている。前記ベアリング３１の内孔は、前記感光体支持軸９の後端部の後側位置決めスリーブ１０が挿入可能に形成されている。
前記符号２２〜３１，ギヤＧaで示された要素により前記感光体ドラムユニットＵa（図４、図７参照）が構成されている。
【００３４】
（クリーナユニットＵb）
図４、図７に示すクリーナユニットＵbは、帯電器ＣＣkと、クリーニングブラシＣＬk1を有するクリーナＣＬkとそれらを支持する支持枠３２とを有している。図１１において前記支持枠３２はその後端に後方に突出する連結ピン３３を有している。前記連結ピン３３は、前記後側支持プレート２１の外周に形成されたＵ字型のピン嵌合溝（図示せず）に嵌合している。
【００３５】
図７、図１１において、クリーナユニットＵbの支持枠３２は前端壁３４および後端壁３５を有している。
前記前端壁３４にはＵ字型の前側円筒部材嵌合溝３４a（図７参照）が形成されている。前端壁３４には、ねじ３６（図１１参照）により、前記前側円筒部材嵌合溝３４aに挿入嵌合された前記前側円筒部材２７が固定される。
前記後端壁３５にはＵ字型の後側円筒部材嵌合溝３５a（図１１参照）が形成されている。後端壁３５には、ねじ３７（図１１参照）により、前記後側円筒部材嵌合溝３５aに挿入嵌合された前記後側円筒部材３０が固定される。
前記クリーナユニットＵbは、前記符号ＣＣk，ＣＬk，３２〜３７で示された要素により構成されており、前記感光体ドラムユニットＵaと一体的に連結されている。
【００３６】
（現像ユニットＵc）
図４、図６〜図１１において、現像ユニットＵcは、現像器Ｇkを有し、前記現像器Ｇkには前端連結プレート４１と後端連結プレート４２が連結されている。前記前端連結プレート４１にはＵ字型の前側円筒部材嵌合溝４１a（図７、図８参照）が形成されている。前記前側円筒部材嵌合溝４１aは前記前側円筒部材２７の外周面に軸方向（前後方向）にスライド可能に嵌合する。
図８において、前記後端連結プレート４２はＵ字型の後側円筒部材嵌合溝４２aと前後延伸壁４２bと前記現像器Ｇkの後端に連結される現像器連結壁４２cとを有しており、現像器連結壁４２cが現像器Ｇk後端に連結されている。後側円筒部材嵌合溝４２a（図８参照）は、前記後側円筒部材３０（図１１参照）外周面と軸方向（前後方向）にスライド可能に嵌合している。また、前記後端連結プレート４２は後側支持プレート２１に固定されたガイドピン（図示せず）に嵌合する孔（図示せず）を有し、前後方向にスライド移動可能に連結される。
【００３７】
図８、図１１において、前記現像ユニットＵcの前記Ｕ字型の前側円筒部材嵌合溝４１aおよび後側円筒部材嵌合溝４２aと、前記感光体ドラムユニットＵaの前記前側円筒部材２７および後側円筒部材３０の外周面とが嵌合した状態で、前記現像ユニットＵcおよび感光体ドラムユニットＵaは、感光体ドラムＰkおよび現像ロールＲ０が図示しない弾性部材により互いに圧接するように構成されている。
また、前記現像ユニットＵcおよび感光体ドラムユニットＵaの前後方向の位置は、それらを感光体支持軸９上に装着した状態で、図示しない押圧部材により感光体ドラムユニットＵaを後方に押圧することにより位置決めされる。
【００３８】
図８〜図１０において現像ユニットＵcの現像器Ｇkは現像容器Ｖを有し、現像容器Ｖには上下一対の前方突出部Ｖa，Ｖa（図８、図９）が設けられている。前記現像器Ｇkは、前記現像容器Ｖ内部に収容された現像ロールＲ０、上下一対の現像剤攪拌搬送部材Ｒ１，Ｒ２（図１０Ａ、図１０Ｂ参照）を有している。前記上下一対の現像剤攪拌搬送部材Ｒ１，Ｒ２の前端部は前記上下一対の前方突出部Ｖa，Ｖa内に延びており、現像容器Ｖ内の現像剤を攪拌しながら循環させる。前記現像ロールＲ０と下側の現像剤攪拌搬送部材Ｒ２との間には現像剤攪拌搬送部材Ｒ３が配置されている。
【００３９】
上側の前方突出部Ｖaの上面には現像剤補給部材連結部４３が形成されており、現像剤補給部材連結部４３は上方に突出する円筒状接続部４３aと補給口４３bとを有している。前記上側の前方突出部Ｖaの側面には容器内現像剤第１排出口４４が形成されており、下側の前方突出部Ｖaの下面には容器内現像剤第２排出口４５が形成されている。容器内現像剤第２排出口４５は手動の排出口シャッタ４６（図９参照）により開閉される。
図８、図１０Ｃにおいて、前記現像ロールＲ０の回転軸および前記現像剤攪拌搬送部材Ｒ１，Ｒ２，Ｒ３の回転軸は前記現像容器Ｖの前壁および後壁により回転可能に支持されており、それらの回転軸の後端部（−Ｘ端部）は前記現像容器Ｖの後壁を貫通して後方に延びている。そして、前記現像ロールＲ０および前記現像剤攪拌搬送部材Ｒ１，Ｒ２，Ｒ３の回転軸の後端部には順次噛み合うギヤＧ0aおよびＧ1，Ｇ2，Ｇ3が装着されている。また、前記ギヤＧ0aと同軸のギヤＧ0bは前記ギヤＧa（図１１参照）と噛み合って回転力が伝達されるように構成されている。
【００４０】
図８において、前記現像容器Ｖには前後（Ｘ軸方向）に延びる現像剤排出筒４７が固定されており、現像剤排出筒４７の前端部と前記前方突出部Ｖaとの間には、前方突出部Ｖaから排出される排出現像剤を前記現像剤排出筒４７前端部に排出させる排出用連通路形成部材４８が設けられている。
前記現像剤排出筒４７内には排出現像剤を後方に搬送する排出現像剤搬送部材（オーガ軸）Ｒ４が配置されている。前記排出現像剤搬送軸Ｒ４の後端にはギヤＧ4が装着されており、前記ギヤＧ4はギヤＧ6を介して前記ギヤＧ2と噛み合っている。
前記現像剤排出筒４７の後端部には回収タンク接続筒４９が設けられており、回収タンク接続筒４９は現像容器Ｖが画像形成装置Ｕ3本体の後端部に移動したときに、現像剤回収タンクＴのガイド壁Ｔaによりガイドされて、現像剤回収タンクＴに自動的に接続されるように構成されている。回収タンク接続筒４９が現像剤回収タンクＴに接続された状態では、前記排出現像剤搬送部材Ｒ４により現像剤排出筒４７内を後方に搬送された排出現像剤は、現像剤排出筒４７の後端部に接続された回収タンク接続筒４９から現像剤回収タンクＴに回収される。
【００４１】
図１３はユニット側現像剤補給部材の説明図で、図１３Ａはユニット化されたトナー像形成装置を画像形成装置Ｕ3本体に装着しようとする状態を示す図、図１３Ｂはトナー像形成装置を画像形成装置Ｕ3本体に装着した状態を説明する図、図１３Ｃは現像剤交換作業時の状態の説明図、である。
図１４はユニット側現像剤補給部材の分解説明図で、図１４Ａは側面図、図１４Ｂは前記図１４Ａの矢印ＸIＶＢから見た後面図である。
図１５はユニット側現像剤補給部材の分解説明断面図で、図１５Ａは前記図１４ＢのＸＶＡ−ＸＶＡ線断面図、図１５Ｂは前記図１４ＡのＸＶＢ−ＸＶＢ線断面図である。
図４、図６、図７、図１３〜図１５において、前記上側の前方突出部Ｖa上面に設けた現像剤補給部材連結部４３の補給口４３b（図１５参照）に現像剤を補給するユニット側補給用搬送路形成部材５０は、前記前側支持プレート２０の前面に固定される固定支持部材５１と、前記固定支持部材５１に回動可能に支持される回動補給部材５２と、前記回動補給部材５２および前記円筒状接続部４３a間を接続する可撓性補給部材５３と、を有している。
【００４２】
前記固定支持部材５１および回動補給部材５２の全体形状は図６に分かり易く示されている。図６、図１４、図１５から分かるように、固定支持部材５１は一対の両側壁５１a，５１aと、両側壁５１a，５１aの下端前側に設けたストッパ壁５１b，５１bと両側壁５１a，５１a下端後部を接続する連結壁５１cと、前記両側壁５１a，５１aから左右に突出する取付壁５１d，５１dと、両側壁５１aにそれぞれ２個ずつ設けた係止孔５１e，５１eと、両側壁５１aの下部後端に設けた軸支持溝５１f，５１fと、連結壁５１bの後面に設けた被係止溝５１gとを有している。
図６、図７において、前記被係止溝５１g（図１４Ａ、図１５Ａ参照）は前側支持プレート２０（図６、図７参照）の下端に係止され、前記取付壁５１d，５１dは前側支持プレート２０にねじにより固定される。
【００４３】
図６、図１４、図１５から分かるように、回動補給部材５２は、現像剤通過用筒部５２aと、現像剤通過用筒部５２aの上端に設けた一対の側壁５２b，５２bにより構成されたシャッタ作動部材５２b，５２bと、現像剤通過用筒部５２aの後側右側面に突出する取付壁５２cと、現像剤通過用筒部５２aの下端に設けた左右一対の側壁部５２d，５２dと、側壁部５２d，５２dの後側下端部を連結する連結壁５２eと、側壁部５２d，５２dの外側面に設けた被係止突起５２f，５２fおよび回動軸５２g，５２gとを有している。
図６、図７において、前記回動補給部材５２の左右一対の側壁部５２d，５２d（図１４、図１５参照）は前記固定支持部材５１の両側壁５１a，５１a内側面に嵌合した状態で配置され、前記回動軸５２g，５２g（図１４、図１５参照）は前記固定支持部材５１の軸支持溝５１f，５１fにより回転自在に支持される。
【００４４】
前記軸支持溝５１f，５１f内で前記回動軸５２g，５２gが回動するとき回動補給部材５２は図１３Ａ、図１３Ｂに示す動作位置（画像形成動作を行う通常の位置）と図１３Ｃに示す現像剤交換位置との間で回動可能である。
前記回動補給部材５２の側壁部５２dの外側面に形成された被係止突起５２fは、前記回動補給部材５２が図１３Ｃに示す現像剤交換位置に移動したときは、前記固定支持部材の２つの係止孔５１e，５１e（図１４Ａ、図１５Ａ参照）の中の下側に配置された係止口５１dに係止され、図１３Ａ、図１３Ｂに示す動作位置に移動したときは、前記固定支持部材の２つの係止孔５１e，５１e（図１４Ａ、図１５Ａ参照）の中の上側に配置された係止孔５１eに係止される。
図１３Ａ、図１３Ｂの状態では、前記シャッタ作動部材５２b，５２b（図６、図７参照）の後端は前記前側支持プレート２０の後方に突出している。
【００４５】
前記可撓性補給部材５３は蛇腹状の円筒壁を有する円筒部材であり、その下端は前記現像剤補給部材連結部４３の円筒状接続部４３a外周面に嵌合して連結され、その上端は前記回動補給部材５２の現像剤通過用筒部５２aの下端の円筒部外周面に嵌合して連結される。
前記符号Ｇ0a〜Ｇ4、Ｒ0〜Ｒ4、Ｖ、４１〜５３等で示された要素により前記現像ユニットＵcが構成されている。
【００４６】
図１１、図１２において、前記感光体支持軸９の前端部に装着される前側位置決めスリーブ５６は前記前端フランジ部材２３の支持軸貫通孔２３b前端部および前記感光体支持軸９外周面に形成される円筒状空間に前側から挿入される位置決め用円筒部５６aと、前記位置決め用円筒部５６aの前端部に設けた固定部５６bとを有している。前記前側位置決めスリーブ５６の位置決め用円筒部５６aの後端部には円錐状のテーパ面５６cおよびリング状の抜止防止用突起５６dが形成されている。前記テーパ面５６cが前記支持軸貫通孔２３bの前端内側に挿入された状態で、前記固定部５６bを貫通して前記感光体支持軸９前端面の雌ねじ９bに螺合する固定ねじ５７を締付けると、前記前側位置決めスリーブ５６は前記感光体支持軸９上で後方に移動し、それに伴って感光体ドラムＰkも後方に移動する。
【００４７】
そして、前記後端フランジ部材２４の装着円筒部２４aの後端が前記感光体支持軸９上に固定された円筒状の後側位置決めスリーブ１０のテーパ面１０aに当接し、且つ、前記前端フランジ部材２３の装着円筒部２３a前端と前側位置決めスリーブ５６の前記テーパ面５６cとが当接した状態で、前記前側位置決めスリーブ５６は前記感光体支持軸９上に固定される。
前記前側位置決めスリーブ５６の前端部外周には円板状のスリーブ移動用プレート５８がＥクリップ５９により固定されている。前記前側位置決めスリーブ５６は前記前側支持プレート２０にベアリング６０を介して回転可能且つスライド可能に支持されている。
前側位置決めスリーブ５６は、前記抜止防止用突起５６dがベアリング６０を貫通できないので、ベアリング６０の前側からの挿入は不可能であるが、前記Ｅクリップ５９を外した状態で前記ベアリング６０に後方から着脱可能である。
【００４８】
図６〜図７、図１１、図１２において、前記前側支持プレート２０の位置決め孔２０bには円筒状のブシュ６１が装着されており、前記ブシュ６１は抜止用Ｃリング６１aにより前側支持プレート２０に固定されている。
前記ブシュ６１は前記ハンガーピン１２に着脱可能に嵌合する部材であり、前側支持プレート２０の前記ハンガーピン支持部材１１（図１１参照）に対する位置決めを行う部材である。
また、前側支持プレート２０は前記固定用ねじ孔２０cを貫通する固定ねじ６２により前記ハンガーピン支持部材１１に着脱可能に固定されている。
前側支持プレート２０の前面には互いに接近して配置された一対の弾性係止部材６３，６３（図６〜図７参照）が前方に突出して形成されている。
【００４９】
前記前側支持プレート２０の前面の切り起こしにより形成された前記左右一対のレバー支持部材２０d，２０dにより、回動可能なプレート状のハンドルサポート６４の上端部がヒンジ軸６４a回りに回転自在に支持されている。前記ハンドルサポート６４には前記弾性係止部材６３，６３（図６、図７参照）により係止される被係止開口６４bが形成されている。ハンドルサポート６４を前側支持プレート２０の前面に押し付けたときに前記一対の弾性係止部材６３，６３の先端部が互いに接近するように弾性変形して前記被係止開口６４bから前方に突出し、突出した後に弾性変形により互いに離れる状態（元の状態）となって、ハンドルサポート６４が係止される。
【００５０】
前記ハンドルサポート６４の下端部には左右一対の引掛部材６６，６６が設けられている。前記引掛部材６６，６６はそれぞれ、前記スリーブ移動用プレート５８を前後から挟むように配置された一対の係止部６６a，６６bを有している。前記ハンドルサポート６４の前面にはハンドル６７が固定されている。前記ハンドル６７を図１２の状態から所定以上の力で前方に引き出すと、ハンドルサポート６４がヒンジ軸６４a回りに回動して前記引掛部材６６，６６に挟まれたスリーブ移動用プレート５８および前側位置決めスリーブ５６が前方に引っぱられてハンドルサポート６４の下端部が外方に回動し、被係止開口６４bが弾性係止部材６３，６３から自動的に離脱する。
前記前側位置決めスリーブ５６が感光体支持軸９上で前方に移動したとき、前記抜止防止用突起５６dがベアリング６０に引っ掛かる。このとき、前側支持プレート２０が前方に引っ張られる。
【００５１】
このとき、前記固定ねじ６２（前記前側支持プレート２０を前記ハンガーピン支持部材１１に固定するねじ）を外した状態であれば、前記ハンドル６７をさらに前方に引き出すと、感光体ドラムユニットＵa、クリーナユニットＵbおよび現像ユニットＵcは、前記可動側スライドレール１８，１８、スライド部材１９，１９（図１１、図１２、図４参照）および後側支持プレート２１とともに、外方（前方）に引き出される。
【００５２】
前記感光体ドラムユニットＵa、クリーナユニットＵbおよび現像ユニットＵc等によりトナー像形成装置ＵＹ，ＵＭ，ＵＣ，ＵＫが構成されている。
前記符号１〜１９，５６〜６７で示された要素により、前記トナー像形成装置ＵＹ，ＵＭ，ＵＣ，ＵＫを、前記画像形成装置Ｕ3の内部に装着した装着位置と外部に引き出した引出位置との間で移動可能に支持するトナー像形成装置支持装置（１〜１９，５６〜６７）が構成されている。
前記符号６６，５８等で示された要素により構成されたハンドル・スリーブ連結構造（６６＋５８）は、前記ハンドル６７の自由端部（下端部）が前記前側支持プレート２０から前方に離れる方向に回転したときに前記前側位置決めスリーブ５６を前方に移動させるとともに、前記自由端部（下端部）が前記前側支持プレート５６に接近する方向に回転したときに前記前側位置決めスリーブ５６を後方に移動させるように、前記ハンドル６７の自由端部および前記前側位置決めスリーブ５６を連結する。
【００５３】
図１３Ａ、図１３Ｂ、図３において、画像形成装置Ｕ3の本体前側フレームＦ3aに固定支持されたフロントパネルＰＡ1により補給用搬送路開閉シャッタ６８が前後移動可能に支持されており、前記補給用搬送路開閉シャッタ６８はバネ６９により常時閉塞位置（前方突出位置）に保持されている。前記フロントパネルＰＡ1に支持された本体側補給用鉛直搬送路形成部材７１の下端は前記補給用搬送路開閉シャッタ６８上端に隣接して配置されている。前記本体側補給用鉛直搬送路形成部材７１内部に形成された鉛直な現像剤搬送路下端は前記補給用搬送路開閉シャッタ６８により開閉される。
【００５４】
トナー像形成装置ＵＹ，ＵＭ，ＵＣ，ＵＫが図１３Ａの位置（前記装着位置に接近した位置）から、図１３Ｂの位置（前記装着位置）に移動すると、シャッタ作動部材５２bにより前記補給用搬送路開閉シャッタ６８が開放されて、前記本体側補給用鉛直搬送路形成部材７１内部に形成される本体側補給用搬送路と、前記ユニット側補給用搬送路形成部材５０の回動補給部材５２および可撓性補給部材５３内部のユニット側補給用搬送路とは接続される。
この接続状態では本体側補給用鉛直搬送路形成部材７１から回動補給部材５２および可撓性補給部材５３内に現像剤を補給可能であり、前記補給用搬送路開閉シャッタ６８が閉塞状態では、前記本体側補給用鉛直搬送路形成部材７１内の現像剤の飛散を防止することができる。
【００５５】
図３において、前記フロントパネルＰＡ1により上流側本体側補給用搬送路形成部材７２が支持されており、その下流端は前記本体側補給用鉛直搬送路形成部材７１に接続されている。前記本体側補給用鉛直搬送路形成部材７１および上流側本体側補給用搬送路形成部材７２はそれぞれＹ（イエロー），Ｍ（マゼンタ），Ｃ（シアン），Ｋ（黒）の現像剤を搬送するために４個ずつ設けられている。前記上流側本体側補給用搬送路形成部材７２の内部には、補給用現像剤を搬送する補給用搬送部材７２h（図３参照）が設けられており、前記補給用搬送部材７２hは回転駆動されたときに補給用現像剤を搬送する。
前記本体側補給用鉛直搬送路形成部材７１および上流側本体側補給用搬送路形成部材７２により本体側補給用搬送路形成部材（７１＋７２）が構成されている。
また、前記ユニット側補給用搬送路形成部材５０および本体側補給用搬送路形成部材（７１＋７２）により補給用搬送路形成部材（５０＋７１＋７２）が構成されている。
また、前記補給用搬送路形成部材（５０＋７１＋７２）および前記補給用搬送部材７２h（図３参照）により補給現像剤搬送装置（５０＋７１＋７２＋７２h）が構成されている。
【００５６】
図３においてトナーディスペンサー装置Ｕ3aは、Ｙ（イエロー），Ｍ（マゼンタ），Ｃ（シアン），Ｋ（黒）の各色のトナーディスペンサーＴＮy，ＴＮm，ＴＮc，ＴＮkおよびアーチ型のケースカバーＫＢを有している。前記ケースカバーＫＢは上面中央部が上方に突出した形状を有している。
前記トナーディスペンサーＴＮy，ＴＮm，ＴＮc，ＴＮkは、補給現像剤収容容器７３、および前記補給現像剤収容容器７３内の補給用現像剤を前記本体側補給用搬送路形成部材（７１＋７２）の上流端（すなわち、上流側本体側補給用搬送路形成部材７２の上流端）に送出する補給現像剤送出装置７４を有している。
【００５７】
前記補給現像剤送出装置７４は前記補給現像剤収容容器７３から搬送された補給現像剤が流入する攪拌循環容器７５と、前記攪拌循環容器７５から前記本体側補給用搬送路形成部材（７１＋７２）の上流端に現像剤を送出する筒状の補給用送出路形成部材７６と、前記補給用送出路形成部材７６から前記本体側補給用搬送路形成部材（７１＋７２）に補給現像剤を送出する送出用搬送部材（図示せず）を有する。
なお、前記トナーディスペンサー装置Ｕ3aは、前部および後部に設けられた左右に延びるスライドレール（図示せず）により左右方向にスライド移動可能である。また、図３において、前記トナーディスペンサー装置Ｕ3aは画像形成装置Ｕ3の上面の右側部分のカバーとしても使用されており、その左側部分には着脱可能なカバー７７が設けられている。
【００５８】
図３において、補給現像剤収容容器７３内から補給現像剤送出装置７４の攪拌循環容器７５に送出された補給現像剤は、攪拌循環容器７５で攪拌搬送されて、筒状の補給用送出路形成部材７６内を送出用搬送部材（図示せず）により前方（Ｘ方向）に送出される。
前記補給用送出路形成部材７６内を前方（Ｘ方向）に送出された補給現像剤は前記本体側補給用搬送路形成部材（７１＋７２）の上流端（すなわち、上流側本体側補給用搬送路形成部材７２の上流端）に送出される。
【００５９】
前記図３において、補給現像剤送出装置７４により上流側本体側補給用搬送路形成部材７２の上流端に送出された補給現像剤は、上流側本体側補給用搬送路形成部材７２を通って、前記本体側補給用鉛直搬送路形成部材７１に搬送される。前記搬送された補給現像剤は、前記本体側補給用鉛直搬送路形成部材７１の下端の前記補給用搬送路開閉シャッタ６８が開放しているとき（トナー像形成装置ＵＹ，ＵＭ，ＵＣ，ＵＫが図１３Ｂに示す装着位置に移動しているとき）には、ユニット側補給用搬送路形成部材５０から現像容器Ｖの前方突出部Ｖaに供給される。
【００６０】
（実施例１の作用）
前記構成を備えた本発明の画像形成装置の実施例１では、画像形成装置の本体フレームＦ3に後端部が回転可能に片持ち支持された感光体支持軸９は、前端部から感光体ドラムユニットＵa、クリーナユニットＵbおよび現像ユニットＵc等により構成されるトナー像形成装置ＵＹ，ＵＭ，ＵＣ，ＵＫが装着可能である。前記円筒状の後側位置決めスリーブ１０は、前記感光体支持軸９の後端部に装着され且つテーパ面１０aが前記円筒状空間（前記支持軸貫通孔２４bの後端部内周面と前記感光体支持軸９外周面との間の円筒状空間）に後側から挿入されて、前記感光体支持軸９外周面に固定される。
【００６１】
感光体ドラムユニットＵaの感光体ドラムＰy〜Ｐkは、円筒状の感光体スリーブ２２と、前記感光体支持軸９が貫通する支持軸貫通孔２３bが形成された装着円筒部２３aを有し且つ前記感光体スリーブ２２の前端部を支持する前端フランジ部材２３と、前記感光体支持軸９が貫通する支持軸貫通孔２４bが形成された装着円筒部２４aを有し且つ前記感光体スリーブ２２の後端部を支持する後端フランジ部材２４とを有する。
前記感光体ドラムＰy〜Ｐkが前記感光体支持軸９に装着された状態で前記後端フランジ部材２４の前記支持軸貫通孔２４bはその後端部内周面と前記感光体支持軸９外周面との間に円筒状空間（後側位置決めスリーブ１０のテーパ面１０aが挿入される空間）が形成される。
【００６２】
前記感光体支持軸９に装着された状態で前記前端フランジ部材２３の前記支持軸貫通孔２３bは、その前端部内周面と前記感光体支持軸９外周面との間に円筒状空間が形成される。
前側位置決めスリーブ５６の前記位置決め用円筒部５６aは前記感光体支持軸９の前端部に装着され且つ前記円筒状空間に前側から挿入される。前記前側位置決めスリーブ５６を後方に移動させると、前記前側位置決めスリーブ５６の位置決め用円筒部５６aの後端部に形成された円錐状のテーパ面５６cは、前記感光体ドラムＰy〜Ｐkの前端フランジ部材２３の前端部に当接する。その状態でさらに前側位置決めスリーブ５６を後方に移動させると、前記感光体ドラムＰy〜Ｐkの後端フランジ部材２４はその後端が、前記円筒状の後側位置決めスリーブ１０の前端部のテーパ面１０aに当接する。
【００６３】
その状態で、前記前側位置決めスリーブ５６の固定部５６bを、前記感光体支持軸９前端面に固定ねじ５７により固定すると、前記感光体ドラムＰy〜Ｐkは、前記円錐状のテーパ面１０aおよび５６cにより、感光体支持軸９上に感光体支持軸９と回転軸線が同一の状態で固定される。
また、画像形成装置の本体フレームに着脱可能に連結されるとともに前面にハンドル６７が設けられた前側支持プレート２０は、前記前側位置決めスリーブ５６の位置決め用円筒部５６aを、ベアリング６０を介して回転および前後にスライド移動可能に支持する。
【００６４】
したがって、前記位置決めスリーブ５６を前記感光体支持軸９前端面に固定する前記固定ねじ５７を外すと、前側位置決めスリーブ５６は前方にスライド可能となる。前記前側位置決めスリーブ５６を前方にスライドさせた状態（図１２参照）では、感光体支持軸９上で感光体ドラムＰy〜Ｐkの前方への移動が自由となる。このため、前記前側位置決めスリーブ５６を前方にスライドさせた状態では、前記前側位置決めスリーブ５６、前側支持プレート２０、感光体ドラムＰy〜Ｐk、スライド部材１９，１９（図１１、図４参照）後端に固定した後側支持プレート２１を同時に前方に移動させて感光体支持軸９上から抜き出すことが可能となる。
また、前記前側位置決めスリーブ５６、前側支持プレート２０および感光体ドラムＰy〜Ｐkを感光体支持軸９前端側から容易に装着することが可能である。したがって、感光体ドラムＰy〜Ｐkの感光体支持軸９上への着脱作業が容易となる。
【００６５】
前記図１２に示す状態（感光体支持軸９上にトナー像形成装置ＵＹ，ＵＭ，ＵＣ，ＵＫを装着した状態）で、前側支持プレート２０に設けた前記ハンドル６７を前方に引っ張ると、ハンドル６７は上端側（一端側）の連結端部の周りに回動し、ハンドル６７の下側（他端側）の自由端部が前記前側支持プレート２０から前方に離れる。このとき、ハンドル・スリーブ連結構造（６６＋５８）により、前記前側位置決めスリーブ５６は前方に移動する。前記前側位置決めスリーブ５６の抜止防止用突起５６dは、前側位置決め用円筒部５６aを、前記ベアリング６０から前方に抜け出し不可能なので、前記ハンドル６７を前方に引っ張ると感光体支持軸９上の前側位置決めスリーブ５６、ベアリング６０および前側支持プレート２０が前方に移動する。このとき、感光体ドラムＰy〜Ｐkが感光体支持軸９上で移動可能となる。
また、前記前方に引っ張った前記ハンドル６７を後方に押すと、ハンドル６７の自由端が前記前側支持プレート２０に接近する方向に回転する。このとき、ハンドル・スリーブ連結構造（６６＋５８）により、前記前側位置決めスリーブ５６は感光体支持軸９上で後方に移動するので、感光体支持軸９上の感光体ドラムＰy〜Ｐkを位置決めすることができる。
【００６６】
すなわち、感光体支持軸９上に固定された後側位置決めスリーブ１０の前方に感光体ドラムＰy〜Ｐkを装着し、その前方に装着した前側位置決めスリーブ５６を前後にスライドさせることにより、感光体支持軸９上に感光体ドラムＰy〜Ｐkおよび前側位置決めスリーブ５６を容易に着脱させることが可能となる。
また、前記トナー像形成装置ＵＹ，ＵＭ，ＵＣ，ＵＫが前記引出位置に移動したときに本体側補給用搬送路形成部材（７１＋７２）と前記ユニット側補給用搬送路形成部材５０との接続部は、前記補給用搬送路開閉シャッタ６８により閉塞されるので、前記接続部から現像剤の飛散が生じるのを防止することができる。
【００６７】
前記画像形成装置Ｕ3の使用により経時的に現像器Ｇy，Ｇm，Ｇc，Ｇk内のキャリアが劣化して、現像器Ｇy，Ｇm，Ｇc，Ｇk内の現像剤の交換を行う必要が生じた場合、図１３Ｂの状態で、排出口シャッタ４６を開いて、容器内現像剤第２排出口４５（図８、図９参照）の下側に現像剤回収容器（図示せず）を配置する。その後、現像器Ｇy，Ｇm，Ｇc，Ｇkの現像ロールＲ０および前記現像剤攪拌搬送部材Ｒ１，Ｒ２，Ｒ３を通常とは逆回転させると、図９に矢印で示す現像剤の搬送方向と逆向きに現像剤が搬送され、容器内現像剤第２排出口４５から排出され、回収される。
【００６８】
次に新しい現像剤を現像器Ｇy，Ｇm，Ｇc，Ｇkに充填するには、前記排出口シャッタ４６を閉じる。そして、図１３Ｃに示すように、回動補給部材５２の取付壁５２cを前側支持プレート２０に固定するねじ（図１３Ａ、図１３Ｂ参照）を外し、回動補給部材５２を出入用ユニットの出入用開口側（前側すなわち、Ｘ側）に回動させる。この状態で、搬送容器（図示せず）に収容した新規現像剤を回動補給部材５２上端から補給しながら、現像器Ｇy，Ｇm，Ｇc，Ｇkの現像ロールＲ０および前記現像剤攪拌搬送部材Ｒ１，Ｒ２，Ｒ３を通常と同じ向きに回転させると、新規現像剤の充填を行うことができる。
新規現像剤の充填後に前記回動補給部材５２を後方（−Ｘ方向）に回動させて、取付壁５２cを前側支持プレート２０にねじ（図１３Ａ、図１３Ｂ参照）で固定する。
【００６９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）前記実施例において、回動補給部材５２の取付壁５２cを前側支持プレート２０に固定する手段としては、固定用のねじ（図１３Ａ、図１３Ｂ参照）を使用する代わりに、マジックテープや、従来公知の種々の係止、離脱可能な係止構造を採用することが可能である。
（Ｈ02）本発明は前記実施例１の画像形成装置Ｕ3にイメージ入力装置Ｕ1および給紙装置Ｕ2が一体的に組み込まれて構成された通常の画像形成装置に対しても適用可能である。
（Ｈ03）本発明はタンデム型以外の画像形成装置にも適用可能である。
【００７０】
【発明の効果】
前述の本発明の回転連結構造および回転連結構造を有する画像形成装置は、下記の効果（Ｅ01）を奏することができる。
（Ｅ01）画像形成装置本体に対して出入可能な現像器を含む出入ユニットを画像形成装置本体から取り出すことなく、現像器内の現像剤交換作業を行うことができる。
【図面の簡単な説明】
【図１】  図１は本発明の実施例１の画像形成装置（タンデム式デジタルカラー複写機）の全体説明図である。
【図２】  図２は前記図１の画像形成装置の説明図である。
【図３】  図３は前記図２に示す画像形成装置の要部拡大説明図である。
【図４】  図４は潜像形成装置とトナー像形成装置の説明図である。
【図５】  図５はトナー像形成装置の感光体支持軸の説明図である。
【図６】  図６は前記図３の要部拡大斜視図であり、トナー像形成装置の前面斜視図である。
【図７】  図７はトナー像形成装置の要部分解斜視図である。
【図８】  図８はトナー像形成装置の現像ユニットの斜視図である。
【図９】  図９は前記現像ユニットの現像剤補給口および現像剤排出口部分の拡大説明図で前記図８の矢印ＩＸから見た図である。
【図１０】  図１０は前記現像容器の説明図で、図１０Ａは前記図９のＸＡ−ＸＡ線断面図、図１０Ｂは前記図９のＸＢ−ＸＢ線断面図、図１０Ｃは前記現像容器後端のギヤの説明図である。
【図１１】  図１１はトナー像形成装置の側面部分断面図である。
【図１２】  図１２は感光体ドラムユニットの前端部分の拡大説明図で、感光体ドラムユニットを感光体支持軸上から離脱させようとする状態を示す図である。
【図１３】  図１３はユニット側現像剤補給部材の説明図で、図１３Ａはユニット化されたトナー像形成装置を画像形成装置Ｕ3本体に装着しようとする状態を示す図、図１３Ｂはトナー像形成装置を画像形成装置Ｕ3本体に装着した状態を説明する図、図１３Ｃは現像剤交換作業時の状態の説明図、である。
【図１４】  図１４はユニット側現像剤補給部材の分解説明図で、図１４Ａは側面図、図１４Ｂは後面図である。
【図１５】  図１５はユニット側現像剤補給部材の分解説明断面図で、図１５Ａは側面図、図１５Ｂは後面図である。
【符号の説明】
Ｇy，Ｇm，Ｇc，Ｇk…現像器、Ｐy，Ｐm，Ｐc，Ｐk…像担持体、ＲＯＳy，ＲＯＳm，ＲＯＳc，ＲＯＳk…潜像形成装置、Ｕ3…画像形成装置、ＵＹ，ＵＭ，ＵＣ，ＵＹ…出入ユニット（トナー像形成装置）、Ｖ…現像容器、
５０…ユニット側補給用現像剤搬送路形成部材、７３…補給現像剤収容容器、（７１＋７２）…本体側補給用搬送路形成部材。
【図１】
0003915352.tif 000002
【図２】
0003915352.tif 000003
【図３】
0003915352.tif 000004
【図４】
0003915352.tif 000005
【図５】
0003915352.tif 000006
【図６】
0003915352.tif 000007
【図７】
0003915352.tif 000008
【図８】
0003915352.tif 000009
【図９】
0003915352.tif 000010
【図１０】
0003915352.tif 000011
【図１１】
0003915352.tif 000012
【図１２】
0003915352.tif 000013
【図１３】
0003915352.tif 000014
【図１４】
0003915352.tif 000015
【図１５】
0003915352.tif 000016